(57)【特許請求の範囲】
【請求項１】
虫を誘引する誘引手段と、この誘引手段の近傍に繰り出される捕虫シートと、この捕虫シートの繰り出しを許容し当該捕虫シートを保持する保持手段とを備えた捕虫器において、
前記捕虫シートは、帯状をなす基材シートと、この基材シートの一方の面に積層された接着剤層とを備えて筒状体に巻回され、
前記筒状体の軸線方向両側には側板が設けられ、当該側板は、筒状体の内周面側に嵌め込み可能な嵌合部を備え、
前記保持手段は、筒状体及びその両側に設けられた側板に挿通可能な支持軸を含み、前記捕虫シートと筒状体と側板とを一体のパッケージとして支持可能に設けられ、
前記嵌合部は、筒状体の内部に挿通可能な挿入部と、この挿入部に設けられて前記支持軸の挿通を許容する内壁とを備え、
前記支持軸には、前記一方の内壁に当接するストッパと、他方の内壁に当接する移動規制体が設けられ、この移動規制体は、支持軸の軸方向に移動可能に設けられ、移動規制体を内壁に当接する方向に付勢する付勢手段を設けたことを特徴とする捕虫器。
【請求項２】
虫を誘引する誘引手段と、この誘引手段の近傍に繰り出される捕虫シートと、この捕虫シートの繰り出しを許容し当該捕虫シートを保持する保持手段とを備えた捕虫器において、
前記捕虫シートは、帯状をなす基材シートと、この基材シートの一方の面に積層された接着剤層とを備えて筒状体に巻回され、
前記筒状体の軸線方向両側には側板及び当該側板を固定する固定手段が設けられ、当該固定手段は、筒状体の内周面側に嵌め込み可能な嵌合部と、この嵌合部に連設されて側板の外面に添設可能な押さえ部とを備え、
前記保持手段は、筒状体及びその両側に設けられた固定手段並びに側板に挿通可能な支持軸を含み、捕虫シートと筒状体と側板と固定手段とを一体のパッケージとして支持可能に設けられ、
前記嵌合部は、筒状体の内部に挿通可能な挿入部と、この挿入部に設けられて前記支持軸の挿通を許容する内壁とを備え、
前記支持軸には、前記一方の内壁に当接するストッパと、他方の内壁に当接する移動規制体が設けられていることを特徴とする捕虫器。
【請求項３】
前記移動規制体は、支持軸の軸方向に移動可能に設けられ、移動規制体を内壁に当接する方向に付勢する付勢手段を設けたことを特徴とする請求項２記載の捕虫器。
【発明の詳細な説明】
【技術分野】
【０００１】
本発明は、捕虫器に係り、更に詳しくは、捕虫シートの接着剤が他のものに付着することを防止したパッケージ状態のまま装着することができる捕虫器に関する。
【背景技術】
【０００２】
従来より、例えば、食品や粘着シート、精密機械等の製品に虫が混入することを防止するために捕虫器が利用されている（特許文献１参照）。このような捕虫器では芯材とそれに巻回された捕虫シートが捕虫器に装着される構成となっている。
また、このように芯材に巻回された状態の捕虫シートは、その短手方向両側から接着剤が染み出る場合があるため、巻回された捕虫シートの両側部に、染み出した接着剤が他のものに付着しないように付着防止用の側板が設けられる場合がある。
【０００３】
【特許文献１】実開平６−１７４８５号公報
【発明の開示】
【発明が解決しようとする課題】
【０００４】
しかしながら、特許文献１のような捕虫器では、接着剤の付着防止用の側板を取り外してから装置に装着しなければならないため、その作業において作業者の手や衣服に接着剤が付着してしまう、という不都合を招来する。なお、このような捕虫シートに用いられる接着剤は、被着体に対して接着剤が転移し易い性質を有し、付着すると取り除くことが困難であり、洗浄するために特殊な洗剤を必要とするばかりでなく、多大な労力が必要になる、という不都合がある。
【０００５】
［発明の目的］
本発明は、このような不都合に着目して案出されたものであり、その目的は、捕虫シートの接着剤が他のものに付着することを防止したパッケージ状態のまま装着することができる捕虫器を提供することにある。
【課題を解決するための手段】
【０００６】
前記目的を達成するため、本発明は、虫を誘引する誘引手段と、この誘引手段の近傍に繰り出される捕虫シートと、この捕虫シートの繰り出しを許容し当該捕虫シートを保持する保持手段とを備えた捕虫器において、
前記捕虫シートは、帯状をなす基材シートと、この基材シートの一方の面に積層された接着剤層とを備えて筒状体に巻回され、
前記筒状体の軸線方向両側には側板が設けられ、当該側板は、筒状体の内周面側に嵌め込み可能な嵌合部を備え、
前記保持手段は、筒状体及びその両側に設けられた側板に挿通可能な支持軸を含み、前記捕虫シートと筒状体と側板とを一体のパッケージとして支持可能に設けられ、
前記嵌合部は、筒状体の内部に挿通可能な挿入部と、この挿入部に設けられて前記支持軸の挿通を許容する内壁とを備え、
前記支持軸には、前記一方の内壁に当接するストッパと、他方の内壁に当接する移動規制体が設けられ、この移動規制体は、支持軸の軸方向に移動可能に設けられ、移動規制体を内壁に当接する方向に付勢する付勢手段を設けた、という構成を採っている。
【０００８】
更に、本発明は、虫を誘引する誘引手段と、この誘引手段の近傍に繰り出される捕虫シートと、この捕虫シートの繰り出しを許容し当該捕虫シートを保持する保持手段とを備えた捕虫器において、
前記捕虫シートは、帯状をなす基材シートと、この基材シートの一方の面に積層された接着剤層とを備えて筒状体に巻回され、
前記筒状体の軸線方向両側には側板及び当該側板を固定する固定手段が設けられ、当該固定手段は、筒状体の内周面側に嵌め込み可能な嵌合部と、この嵌合部に連設されて側板の外面に添設可能な押さえ部とを備え、
前記保持手段は、筒状体及びその両側に設けられた固定手段並びに側板に挿通可能な支持軸を含み、捕虫シートと筒状体と側板と固定手段とを一体のパッケージとして支持可能に設けられ、
前記嵌合部は、筒状体の内部に挿通可能な挿入部と、この挿入部に設けられて前記支持軸の挿通を許容する内壁とを備え、
前記支持軸には、前記一方の内壁に当接するストッパと、他方の内壁に当接する移動規制体が設けられる、という構成を採っている。
【００１０】
更に、前記移動規制体は、支持軸の軸方向に移動可能に設けられ、移動規制体を内壁に当接する方向に付勢する付勢手段を設けるとよい。
【発明の効果】
【００１１】
本発明によれば、染み出した捕虫シートの接着剤が他のものに付着することを防止したパッケージ状態のまま当該捕虫シートを装着することができるため、捕虫器や捕虫シートを掛け回す作業において、作業者の手や衣服に接着剤が付着することを効果的に防止することができる。
【００１２】
また、内壁に当接可能な移動規制体を支持軸に設けた場合、巻回された捕虫シート側面全体が他のものに擦れる場合に比べて、回転抵抗が小さくなるため、捕虫シートの巻き出し抵抗を小さくすることが可能となる。しかも、捕虫シートの位置ずれを防止でき、支持軸を支持するフレーム等に側板や押さえ部が接触することを回避することができる。
【発明を実施するための最良の形態】
【００１３】
以下、本発明の好ましい実施の形態について図面を参照しながら説明する。
なお、本明細書の方向若しくは位置を示す用語は、特に明示しない限り、図１を正面から見た場合を基準とし、「前」とは同図中手前側を示す一方、「後」とは、同奥行き側について用いられ、「左」「右」も同様に正面から見た場合を基準とする。
【００１４】
図１には、本実施形態に係る捕虫器の概略正面図が示されている。この図において、捕虫器１０は、虫を誘引する誘引手段１１と、この誘引手段１１の近傍に繰り出される捕虫シート１２を有する捕虫材１３と、捕虫シート１２の繰り出しを許容し保持可能に設けられた保持手段１５とを備えて構成されている。
【００１５】
前記誘引手段１１は、図示しない電力源に接続される蛍光灯１７により構成されている。蛍光灯１７は、脚部材１９から立設された背面フレーム２０に支持されている。なお、蛍光灯１７は、虫を誘引可能な波長の光、例えば紫外線を発光するものが好ましい。
【００１６】
前記捕虫シート１２は、ロール状に巻回された状態から誘引手段１１の右側近傍を通過するように下方に繰り出される。その後、捕虫シート１２は、誘引手段１１の下方において、前記背面フレーム２０に支持アーム２１により支持された案内部材としての左右一対のローラ２２を介して左方向に案内された後、誘引手段１１の左側を通過するように上方に導かれるようになっている。捕虫シート１２は、図２、図３（Ａ）及び（Ｂ）に示されるように、帯状をなす基材シート１２Ａと、この基材シート１２Ａの一方の面（図３（Ｂ）中上面）に積層された接着剤層１２Ｂとからなる２層構造になっており、この接着剤層１２Ｂ側に剥離シート１２Ｃが仮着されている。基材シート１２Ａの短手方向両端、すなわち、図３中左右両端に沿う位置には、前記接着剤層１２Ｂを積層しない第１の非接着領域１２Ｄがそれぞれ設けられている。
【００１７】
ここで、図４（Ａ）及び（Ｂ）に示されるように、捕虫シート１２のリード端領域１２ａ及び最終端領域１２ｂには第２の非接着領域１２Ｅがそれぞれ設けられている。各非接着領域１２Ｅは、リード端、最終端から捕虫シート１２の所定長さに亘って、図４（Ａ）中上面側全体に接着剤層１２Ｂを積層しないことにより形成されている。つまり、各第２の非接着領域１２Ｅでは、剥離シート１２Ｃを取り除くと、基材シート１２Ａの表面だけが表出することとなる。
【００１８】
前記捕虫材１３は、図２及び図５に示されるように、前記捕虫シート１２と、この捕虫シート１２を巻回する筒状体２５と、筒状体２５の軸線方向両側すなわち図５中左右両側にそれぞれ設けられた一対の側板２６と、各側板２６を固定するための一対の固定手段２７とを備えて構成されている。このように構成される捕虫材１３は、捕虫シート１２から染み出した接着剤が他のものに付着しないようなパッケージとして取り扱われる。
【００１９】
前記各側板２６は、略ドーナツ盤状にそれぞれ形成されている。各側板２６の直径寸法は、筒状体２５に巻回された使用前の捕虫シート１２の直径寸法より大きく設定され、捕虫シート１２の端面が外方にはみ出ることのない面形状にそれぞれ形成されている。各側板２６は、その内面が捕虫シート１２の短手方向両端に接するように設けられている。また、各側板２６の内面には、フッ素加工等の非接着処理が施されており、捕虫シート１２の短手方向両側から前記接着剤層１２Ｂの接着剤が染み出ても、当該接着剤とは接着しないようになっている。
【００２０】
前記各固定手段２７は、筒状体２５の軸方向両側における内周面側に嵌め込み可能な嵌合部２９と、この嵌合部２９の外側端部に連設されて側板２６の外面に添設して当該側板２６の脱落を防止する押さえ部３０とを備えている。
【００２１】
前記嵌合部２９は、側板２６及び筒状体２５の各内周面に沿う円筒状の挿入部２９Ａと、この挿入部２９Ａの内部に設けられて後述する支持軸３２が挿通される丸穴２９Ｃが形成された内壁２９Ｂとを備えている。
【００２２】
前記保持手段１５は、図１に示されるように、前記筒状体２５と側板２６と固定手段２７とに挿通可能に設けられ、パッケージ状態のまま捕虫材１３を支持する支持軸３２と、この支持軸３２の近傍に設けられた剥離手段３３及び回収手段３４とを備えて構成されている。
【００２３】
前記支持軸３２は、背面フレーム２０の上方に位置するプレート３５に支持され、前記丸穴２９Ｃに挿通可能に設けられている。支持軸３２の先端側には、上端側が支持軸３２の上部位置より突出するストッパ３６が設けられている。ストッパ３６は、上下幅が丸穴２９Ｃの内径寸法より小さく設定され、当該丸穴２９Ｃ内を挿通可能に設けられるとともに、支持軸３２を丸穴２９Ｃ内に挿通したときに、図５中左側の固定手段２７の内壁２９Ｂに当接して筒状体２５の脱落を防止するようになっている。
【００２４】
前記支持軸３２の他端側には、移動規制部材３８が設けられている。図５において、移動規制部材３８は、左端が固定手段２７の内壁２９Ｂに当接し、右端がプレート３５に当接するように設けられており、側板２６又は押さえ部材３０とプレート３５との間に隙間Ｓを確保するようになっている。
【００２５】
前記剥離手段３３は、支持軸３２から繰り出された捕虫シート１２を下方に導くガイドローラ３９と、剥離シート１２Ｃを上方へ導く剥離用ローラ４０とを備えている。剥離用ローラ４０により剥離された剥離シート１２Ｃは、上ガイドローラ４２を経由して回収手段３４へ案内される。また、剥離シート１２Ｃが剥離された捕虫シート１２は、未使用の接着剤層１２Ｂを表出しつつ誘引手段１１を囲むように各ローラ２２、４３を経由して回収手段３４へ案内される。
【００２６】
前記回収手段３４は、プレート３５に支持された単一の巻取軸３４Ａと、当該巻取軸３４Ａに取り付けられて巻取紙管３４Ｃを支持する固定部材３４Ｂとにより構成されている。この巻取軸３４Ａは、プレート３５の後方に取り付けられた操作ハンドル４４を回すことで基材シート１２Ａ及び剥離シート１２Ｃの巻き取りを行えるようになっている。
【００２７】
前記捕虫器１０は、図１に示される状態から、蛍光灯１７を発光させると、その光は、基材シート１２Ａ及び接着剤層１２Ｂを透過して外部に発せられる。すると、その光に誘引されて虫が蛍光灯１７に近付くように飛来し、接着剤層１２Ｂに接触した虫が当該接着剤層１２Ｂに接着されて捕獲される。
【００２８】
そして、一定期間の捕虫が完了すると、操作ハンドル４４を矢印Ｒ１方向に回転操作する。これにより、巻取軸３４Ａが回転して捕虫材１３が引っ張れてＲ２方向に回転し、捕虫シート１２がガイドローラ３９によって下方へ、剥離シート１２Ｃが剥離用ローラ４０によって上方へ繰り出され、未使用の接着剤層１２Ｂが誘引手段１１を囲むように繰り出される。
【００２９】
以上のように、捕虫器１０において、操作ハンドル４４を回転することにより、剥離シート１２Ｃの剥離及び回収と、誘引手段１１周辺への未使用の接着剤層１２Ｂの繰り出しと、使用済みの基材シート１２Ａの回収とを同時に行えるようになる。
【００３０】
従って、このような実施形態によれば、側板２６により、染み出した捕虫シートの接着剤が他のものに付着することを防止したパッケージ状態のまま、当該捕虫シート１２を支持軸３２に装着することができるため、捕虫器１０や捕虫シート１２を掛け回す作業において、作業者の手や衣服に接着剤が付着することを防止することができる。
【００３１】
また、移動規制体３８が筒状体２５内の内壁２９Ｂに接するので、それらの接触面積の縮小化を図ることができ、捕虫シート１２の巻き出し抵抗を効果的に抑制することが可能となる。
【００３２】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３３】
例えば、前記実施形態では、側板２６を固定する固定手段２７を側板２６とは別体としたが、側板２６に嵌合部２９を設けるようにしてパッケージとしてもよい。
【００３４】
更に、側板２６の形状は、巻回された捕虫シート１２の端面が外方にはみ出ることのない面形状である限りにおいて、種々の変更が可能であり、図６（Ａ）に示されるように方形状にしたり、同図（Ｂ）に示されるように、角部を面取りした三角形状としたりしてもよい。
【００３５】
また、移動規制体３８は、図７（Ａ）及び（Ｂ）に示される構成に代替することができる。同図において、移動規制体３８は、内壁２９Ｂに接触する大径部３８Ａと、それに連なる小径部３８Ｂとからなる。小径部３８Ｂには、軸方向に延びるスロット孔３８Ｃが設けられ、支持軸３２から突設された突起４６が受容される。また、大径部３８Ａとプレート３５との間には、コイルばねからなる付勢手段４７が設けられ、移動規制体３８を内壁２９Ｂに当接する方向（図７（Ａ）中左方向）に付勢している。これにより、突起４６がスロット孔３８Ｃの延出方向両側に当接する範囲内で、移動規制体３８が支持軸３２の軸方向に移動可能となり、前記ストッパ３６と移動規制体３８により捕虫材１３を図中左右両側から挟み込む力を常時付与可能となり、パッケージとされた捕虫材１３の左右の内壁２９Ｂの間隔にばらつきがあっても遊びなく位置決めができ、捕虫シート１２の位置ずれを防止することが可能となる。なお、付勢手段４７はコイルばね以外に、板ばね、ゴムやスポンジのような弾性部材、エアシリンダ、モータ等によって構成してもよい。更に、内壁２９Ｂに接触する大径部３８Ａを小径部３８Ｂに対してベアリング等を介して相対回転を可能とすることで、捕虫シート１２の巻き出し抵抗を更に小さくすることが可能となる。
【００３６】
また、誘引手段１１は、虫を誘引する作用を奏する限りにおいて種々の変更が可能であり、匂いや音等で誘引可能なものであってもよく、蛍光灯１７に代替、若しくは、蛍光灯１７と併用することができる。また、前記蛍光灯１７に替え、環状の蛍光灯や電球、ＬＥＤ（発光ダイオード）等の他の発光源によって誘引手段を構成してもよい。
【図面の簡単な説明】
【００３７】
【図１】実施形態に係る捕虫器の概略正面図。
【図２】捕虫材の概略斜視図。
【図３】（Ａ）は、捕虫シートの正面図、（Ｂ）は、（Ａ）のＡ矢視断面図。
【図４】（Ａ）は、捕虫シートを展開した状態の断面図、（Ｂ）は、（Ａ）の平面図。
【図５】図１のＢ矢視部分拡大断面図。
【図６】（Ａ）及び（Ｂ）は、変形例に係る捕虫材の正面図。
【図７】（Ａ）は、他の変形例に係る捕虫器の図５と同様の断面図、（Ｂ）は、（Ａ）の部分拡大図。
【符号の説明】
【００３８】
１０  捕虫器
１１  誘引手段
１２  捕虫シート
１２Ａ  基材シート
１２Ｂ  接着剤層
１２Ｃ  剥離シート
１３  捕虫材（パッケージ）
１５  保持手段
２５  筒状体
２６  側板
２７  固定手段
２９  嵌合部
２９Ａ  挿入部
２９Ｂ  内壁
３０  押さえ部
３２  支持軸
３６  ストッパ
３８  移動規制体
４７  付勢手段
【図１】
0005002477.tif 000002
【図２】
0005002477.tif 000003
【図３】
0005002477.tif 000004
【図４】
0005002477.tif 000005
【図５】
0005002477.tif 000006
【図６】
0005002477.tif 000007
【図７】
0005002477.tif 000008